【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
埋め込み仮想ローカル・エリア・ネットワーク情報及びＩＰヘッダを有するパケットを仮想転送インスタンスの遠端アドレスにルーティングするためのパケット・データ・ネットワークのネットワーク・エレメントにおける方法であって、前記方法が、
埋め込み仮想ネットワークＩＤ（ＶＮＩ）を含むフレームを受信するステップ（３０６）と、
仮想転送インスタンス（ＶＦＩ）を識別するために前記ＶＮＩを検索し、前記ＶＦＩが、相関関係のあるＩ−コンポーネント・サービスＩＤ（Ｉ−ＳＩＤ）と、それぞれが相関関係のあるＩ−ＳＩＤを有する１組のＶＦＩと共有されるインターネット・プロトコル（ＩＰ）／バックボーン媒体アクセス制御（Ｂ−ＭＡＣ）テーブルとを有するステップ（３０７）と、
前記ＶＦＩにより、前記共有ＩＰ／Ｂ−ＭＡＣ解決テーブルを使用して、前記フレームのＩＰアドレスをＢ−ＭＡＣアドレスに分解するステップ（３０８）と、
前記フレームを前記Ｉ−ＳＩＤ及びＢ−ＭＡＣでカプセル化するステップ（３０９）と、
前記フレームを前記リモートＢ−ＭＡＣアドレスに送信するステップ（３１０）と、
を含む、方法。
【請求項２】
複数のＬ２ＶＰＮとしてインスタンス化されたレイヤ３仮想専用ネットワークに前記Ｉ−ＳＩＤをマッピングするステップ
を更に含む、請求項１記載の方法。
【請求項３】
前記レイヤ３仮想専用ネットワークがバックボーン仮想ローカル・エリア・ネットワークである、請求項２記載の方法。
【請求項４】
前記リモートＢ−ＭＡＣアドレスで前記Ｉ−ＳＩＤカプセル化を有する前記フレームを受信するステップと、
前記フレームをカプセル解除するステップ（３１１）と、
前記Ｉ−ＳＩＤに関連する前記仮想転送インスタンスに関連するＩＰアドレスに前記フレームを転送するステップ（３１２）と、
を更に含む、請求項１記載の方法。
【請求項５】
前記仮想ネットワークＩＤを前記Ｉ−ＳＩＤにマッピングする前に前記Ｉ−ＳＩＤを前記仮想転送インスタンスに割り当て、仮想ローカル・エリア・ネットワーク・トンネル・エンド・ポイントのＩＰアドレスを決定することによって前記Ｉ−ＳＩＤが割り当てられ、前記Ｉ−ＳＩＤを有する前記決定されたＩＰアドレスとローカルＢ−ＭＡＣアドレスを広告するステップ
を更に含む、請求項１記載の方法。
【請求項６】
前記仮想ローカル・エリア・ネットワーク・トンネル・エンド・ポイントがＶｘＬＡＮトンネル・エンド・ポイント（ＶＴＥＰ）である、請求項５記載の方法。
【請求項７】
前記決定されたＩＰアドレスを広告することが、中間システム間連携（ＩＳ−ＩＳ）で前記ＩＰアドレスを広告することを含む、請求項５記載の方法。
【請求項８】
前記Ｉ−ＳＩＤを割り当てることが、
前記Ｉ−ＳＩＤのポートを決定するステップと、
前記決定されたポートに関連する複数のＩ−ＳＩＤを前記仮想転送インスタンスに割り当て、前記仮想転送インスタンスがプール内の前記複数のＩ−ＳＩＤと共有されるステップと、
を更に含む、請求項５記載の方法。
【請求項９】
前記Ｉ−ＳＩＤを割り当てることが、
バックボーン・エッジ・ブリッジ（ＢＥＢ）で前記Ｉ−ＳＩＤを割り当て、前記バックボーン・エッジ・ブリッジも前記フレームを前記リモート・バックボーンＭＡＣアドレスに送信するステップ
を含む、請求項８記載の方法。
【請求項１０】
管理サーバからマッピング情報を受信することにより、前記仮想ネットワークＩＤを前記Ｉ−ＳＩＤにマッピングする前に前記Ｉ−ＳＩＤを前記仮想転送インスタンスに割り当てるステップ
を更に含む、請求項１記載の方法。
【請求項１１】
前記仮想ローカル・エリア・ネットワークのＩＰアドレスを学習するために動的ホスト構成リレーを使用することにより、前記仮想ネットワークＩＤを前記Ｉ−ＳＩＤにマッピングする前に前記Ｉ−ＳＩＤを前記仮想転送インスタンスに割り当てるステップ
を更に含む、請求項１記載の方法。
【請求項１２】
埋め込み仮想ローカル・エリア・ネットワーク情報及びＩＰヘッダを有するパケットを仮想転送インスタンスの遠端アドレスにルーティングするためのパケット・データ・ネットワークのネットワーク・エレメントであって、前記ネットワーク・エレメントが、
サーバ・ポートと、ターナリ連想記憶装置（ＴＣＡＭ）と、マッピング・モジュールとを含むイングレス・モジュール（１１）と、
仮想マシン（ＶＭ）から埋め込み仮想ネットワークＩＤ（ＶＮＩ）を含むフレームを受信するように構成された前記サーバ・ポート（４１４）と、
前記フレームの前記ＶＮＩを識別し、相関関係のあるＩ−コンポーネント・サービスＩＤ（Ｉ−ＳＩＤ）と、それぞれが相関関係のあるＩ−ＳＩＤを有する１組のＶＦＩと共有されるインターネット・プロトコル（ＩＰ）／バックボーン媒体アクセス制御（Ｂ−ＭＡＣ）テーブルとを有する仮想転送インスタンスを検索するように構成された前記ＴＣＡＭ（４１５）と、
前記共有ＩＰ／Ｂ−ＭＡＣテーブルを使用して前記フレームの宛先ＩＰアドレスをリモートＢ−ＭＡＣアドレスに分解し、前記フレームを前記Ｉ−ＳＩＤ及びＢ−ＭＡＣでカプセル化するように構成された前記マッピング・モジュール（４２５）と、
前記フレームを前記リモートＢ−ＭＡＣアドレスに送信するように構成されたイグレス・モジュール（１５）と、
を含む、ネットワーク・エレメント。
【請求項１３】
前記マッピング・モジュールが、レイヤ３仮想専用ネットワークに前記Ｉ−ＳＩＤをマッピングするように更に構成される、請求項１２記載のネットワーク・エレメント。
【請求項１４】
前記レイヤ３仮想専用ネットワークがバックボーン仮想ローカル・エリア・ネットワークである、請求項１３記載のネットワーク・エレメント。
【請求項１５】
前記マッピング・モジュールが、前記仮想ネットワークＩＤを前記Ｉ−ＳＩＤにマッピングする前に前記Ｉ−ＳＩＤを前記仮想転送インスタンスに割り当て、仮想ローカル・エリア・ネットワーク・トンネル・エンド・ポイントのＩＰアドレスを決定することによって前記Ｉ−ＳＩＤが割り当てられ、前記Ｉ−ＳＩＤを有する前記決定されたＩＰアドレスとローカル・バックボーンＭＡＣアドレスを広告するように更に構成される、請求項１２記載のネットワーク・エレメント。
【請求項１６】
前記仮想ローカル・エリア・ネットワーク・トンネル・エンド・ポイントがＶｘＬＡＮトンネル・エンド・ポイント（ＶＴＥＰ）である、請求項１５記載のネットワーク・エレメント。
【請求項１７】
前記決定されたＩＰアドレスを広告することが、中間システム間連携（ＩＳ−ＩＳ）で前記ＩＰアドレスを広告することを含む、請求項１５記載のネットワーク・エレメント。
【請求項１８】
前記マッピング・モジュールが、前記Ｉ−ＳＩＤのポートを決定し、前記決定されたポートに関連する複数のＩ−ＳＩＤを前記仮想転送インスタンスに割り当て、前記仮想転送インスタンスがプール内の前記複数のＩ−ＳＩＤと共有されるように更に構成される、請求項１５記載のネットワーク・エレメント。
【請求項１９】
前記マッピング・モジュールが、バックボーン・エッジ・ブリッジ（ＢＥＢ）で前記Ｉ−ＳＩＤを割り当て、前記バックボーン・エッジ・ブリッジも前記フレームを前記リモート・バックボーンＭＡＣアドレスに送信するように更に構成される、請求項１８記載のネットワーク・エレメント。
【請求項２０】
前記マッピング・モジュールが、管理サーバからマッピング情報を受信することにより、前記仮想ネットワークＩＤを前記Ｉ−ＳＩＤにマッピングする前に前記Ｉ−ＳＩＤを前記仮想転送インスタンスに割り当てるように構成される、請求項１２記載のネットワーク・エレメント。
【請求項２１】
前記マッピング・モジュールが、前記仮想ローカル・エリア・ネットワークのＩＰアドレスを学習するために動的ホスト構成リレーを使用することにより、前記仮想ネットワークＩＤを前記Ｉ−ＳＩＤにマッピングする前に前記Ｉ−ＳＩＤを前記仮想転送インスタンスに割り当てるように構成される、請求項１２記載のネットワーク・エレメント。